(57)【特許請求の範囲】
【請求項１】
一端側には、蛇腹管の接続部凹溝にパッキンを装着してシールするシール内面と、蛇腹管の接続部凹溝にリテーナを装着して係止する前記シール内面より大径の係止内面とを有して他端の大径側から該蛇腹管を挿入して接続し、他端側には、内面に環状凹凸溝を有してプラスチック管を内挿し該プラスチック管の内面に装着した金属製ステイフナーを拡径してプラスチック管を接続固定した金属製継手と、
前記継手の一端側に接続した金属製蛇腹と、前記継手の他端側に接続したプラスチック管とからなり、プラスチック管の端部は地中埋設プラスチック管に接続し、蛇腹管の端部は地上に設置された供給ガスメータに接続されることを特徴とするガスメータ接続用ライザー管。
【請求項２】
前記継手の他端側に保護管を接続して前記接続したプラスチック管の外面を覆い、該保護管の端部はプラスチック管と共に地中に埋設されることを特徴とする請求項１記載のガスメータ接続用ライザー管。
【請求項３】
前記継手の他端部に接続した保護管の端部は、前記プラスチック管の外周面とシール接続し、該シール接続部は地中に埋設されることを特徴とする請求項１または２記載のガスメータ接続用ライザー管。
【請求項４】
前記金属製継手の一端側に接続する蛇腹管の接続部凹溝にパッキンと共に熱膨張黒鉛入りゴムを装着したことを特徴とする請求項１ないし３記載のガスメータ接続用ライザー管。
【発明の詳細な説明】
【０００１】
【発明の属する技術分野】
本発明は、地中埋設プラスチック管から地上のガスメータに接続するためのガスメータ接続用ライザー管に関するものである。
【０００２】
【従来の技術】
従来、地中埋設プラスチック管と地上のガスメータとの接続は、地中の埋設プラスチック管に金属管を接続して、この金属管を地上に立ち上げて地上のガスメータに接続していた。
又このための金属管として、本出願人が考案の実開平６ー２０９８７号公報で開示されたプラスチック管と金属製蛇腹管を接続した管継手がある。このものは継手の端部内面に金属製蛇腹管とプラスチック管を装着し、この装着した両管の内面にわたって金属製ステイフナーを内挿し、この金属製ステイフナーを内周側から拡径して金属製蛇腹管とプラスチック管とを継手内周面に圧縮して接続固定するものである。
【０００３】
【発明が解決しようとする課題】
地中から地上のガスメータに接続する場合、金属管には土壌とコンクリート間に生じるマクロセル腐蝕等、地中に埋設することによる腐蝕の問題がある。
このために金属管の表面に樹脂皮膜を設けたり、絶縁継手を設けたりするなど各種の防食対策を施さなければならず、又この問題のために定期的に保安検査を行う必要があった。
【０００４】
また本出願人の考案による上記の管継手では、プラスチック管と金属製蛇腹管とを一緒に継手内周面に圧縮固定するが、プラスチック管に比べて金属製蛇腹管は薄肉で波山形状のため圧縮強度が大きく異なり、プラスチック管部と蛇腹管部分とで別々にステイフナーの拡径作業を行なわないと両管とも均一に圧縮固定することができなかった。また両管とも確実に固定接続されたかどうかの確認が一つのステイフナーで両管を固定しているため困難であった。また蛇腹管の波山形状が直管形状になって圧縮されるので、この圧縮部では蛇腹管本来の可撓性能が損なわれて接続固定される問題点があった。
本発明は上記の問題点を解消して、腐蝕の問題がなく、蛇腹管本来の可撓性能を保持して金属製蛇腹管とプラスチック管を接続し、地中埋設プラスチック管から地上のガスメータに容易に接続できるガスメータ接続用ライザー管を提供するものである。
【０００５】
【課題を解決するための手段】
本発明の要旨は、一端側には、蛇腹管の接続部凹溝にパッキンを装着してシールするシール内面と、蛇腹管の接続部凹溝にリテーナを装着して係止する前記シール内面より大径の係止内面とを有して他端の大径側から該蛇腹管を挿入して接続し、他端側には、内面に環状凹凸溝を有してプラスチック管を内挿し該プラスチック管の内面に装着した金属製ステイフナーを拡径してプラスチック管を接続固定した金属製継手と、
前記継手の一端側に接続した金属製蛇腹と、前記継手の他端側に接続したプラスチック管とからなり、プラスチック管の端部は地中埋設プラスチック管に接続し、蛇腹管の端部は地上に設置された供給ガスメータに接続されることを特徴とするガスメータ接続用ライザー管である。
【０００６】
又、前記継手の他端側に保護管を接続して前記接続したプラスチック管の外面を覆い、該保護管の端部はプラスチック管と共に地中に埋設されることを特徴とするガスメータ接続用ライザー管である。
又、前記継手の他端側に接続した保護管の端部は、前記プラスチック管の外周面とシール接続し、該シール接続部は地中に埋設されることを特徴とするガスメータ接続ライザー管である。
【０００７】
又、前記金属製継手の一端側に接続する蛇腹管の接続部凹溝にパッキンと共に熱膨張黒鉛入りゴムを装着したことを特徴とするガスメータ接続用ライザー管である。
更に、前記プラスチック管の外面を覆う保護管は、塩化ビニル製や金属製又はセメント製の紫外線に強い材質の保護管を用いることができる。
【０００８】
【作用】
本発明は上記の構成であって、プラスチック管部分は地中の埋設プラスチックに接続して、地中から地上に立ち上げられて配管される。従ってガスメータに接続される金属管部分は地中の土壌に接することなく配管されるので、金属管が土壌に接することによる種々の腐蝕の問題が生じない。又地上に立ち上げ配管されたプラスチック管は保護管で覆われ、外部環境から保護遮断されるのでプラスチック管の紫外線劣化等の問題もない。
従って、従来の絶縁継手を設けたり金属管を樹脂被覆するなどの防食処理を行なう必要がなく、可撓性を有す金属製蛇腹管とも相挨って容易にガスメータとの配管施行が行なえる。
【０００９】
また継手内面に金属製蛇腹管が蛇腹管の波山形状を保って、金属製蛇腹管の可撓性能が損なわれずに接続される。またステイフナーを拡径したり、別の袋ナットを設けてレンチで締付けるなどの余分な部品や作業がなく簡単に接続できる。更に、プラスチック管部分の接続はステイフナーをプラスチック管部分のみ拡径して継手内面に固定するので、プラスチック管の径や肉厚に応じた確実な接続固定が行なえる。
更にプラスチック管の外面は保護管で保護されており、継手と蛇腹管との接続部には熱膨張黒鉛入りゴムを装着してあるので、耐火災性を有している。
【００１０】
【発明の実施形態】
以下本発明の実施例について図面に基づいて説明する。
図１は本実施例のガスメータ接続用ライザー管１０を配管した状態を示し、ライザー管１０は、継手２０の下部にプラスチック管３０を、継手２０の上部に金属製蛇腹管４０を接続したもので、下部のプラスチック管３０は地中の埋設プラスチック管５とプラスチック製継手６で接続されて地上に立ち上げられる。地上に立ち上がるプラスチック管３０部分は別の保護管等で外面が露出しないように覆われる。
上部の金属製蛇腹管４０は建物等に固定されているガスメータユニット７を介してガスメータ８に接続される。ガスメータ８の出口側は金属製フレキシブル管９によって建物内に配管され、建物内の各供給ガス器具等に供給される。
【００１１】
図２は本発明の一実施例を示すガスメータ接続用ライザー管１０の半断面図である。図において継手２０の上部側に接続される金属製蛇腹管４０は外面に塩化ビニル製の樹脂皮膜４１を被せてあり、継手２０との接続側端部凹溝にＯリング４２、４２と熱膨張黒鉛入りゴム４４を装着し、更に端部の凹溝に係止する金属製の半割りリテーナ４５を装着して、金属製継手２０の上部側端部内面に接続してある。この接続は継手２０の下部大径側から上記Ｏリングやリテーナ４５等を装着した状態で継手内面に蛇腹管４０を挿入し、パッキン４２を継手２０のシール内面２１に圧縮させると共にリテーナ４５を係止内面２２に係止して接続される。係止内面２２はシール内面２１より少し大きくリテーナ４５が回転しても抜け出さない。従って蛇腹管４０がＯリング４２によってシールされると共にリテーナ４５で係止されて継手２０に接続される。更に熱膨張黒鉛入りゴム４４を装着してあるので、万一の火災に合っても継手２０と蛇腹管４０との間のシール性が果たされる。
蛇腹管４０の継手部分からの長さは約１Ｍあり、上端部は建物等に固定されたガスメータに接続される。
【００１２】
継手２０は上部側内面に上記蛇腹管の樹脂皮膜４１が挿通するシール内面２１とシール内面２１より大径の係止内面２２を設け、端部に水密パッキン２３を装着して樹脂皮膜４１とシールし、蛇腹管４０と接続してある。
下部側内面にはプラスチック管が圧縮される環状凹凸溝２４、シールパッキン２５を装着したシール部２６、めねじ２７および水密パッキン２８を装着して設けてある。この部分に金属製ステイフナー３１を装着したプラスチック管３０を挿入し、プラスチック管３０の端部側からゴムバルジ拡径具（図示せず）を挿入してスチフナー３１を拡径し、プラスチック管３０を継手内面の環状凹凸溝２４に圧縮して固定している。この際シールパッキン２５も圧縮されシールが行なわれる。プラスチック管３０の継手２０からの長さは約３００ｍｍで、下端は地中埋設プラスチック管５に接続され、地上に立ち上げられている。
【００１３】
５０は継手２０のめねじ２７に接続した保護管で、本実施例では外面樹脂被覆鋼管を用いており、プラスチック管３０の地上に立ち上げられる部分の外面を覆って紫外線による劣化や、万一の外部力による損傷、及び火災等で熱がプラスチック管３０に伝わって漏れ出すことがないように保護している。これは鋼管に代えて塩化ビニル管、セメント管、または石綿管等を用いてもよい。
保護管５０の一端部は継手の水密パッキン２８とシールし、他端部は樹脂製の袋ナット５１を螺合してパッキン５２、５３を圧縮し、プラスチック管３０の外面とシールしている。この袋ナット５１によるシール部は地中に埋設される。
従って本実施例によれば、プラスチック管３０の継手２０との接続部や管３０の地上立ち上げ部で何等かの影響によりプラスチック管３０内のガスが漏れても、保護管５０の外へは漏れ出さない。また地中埋設部と継手２０及び金属製蛇腹管４０との電気的絶縁は、保護管５０が外面樹脂被覆鋼管であっても端部に樹脂製の袋ナット５１で外部環境とシールされているので絶縁が果たされる。
【００１４】
【発明の効果】
以上のごとく本発明は、金属管が土壌に接することによる種々の腐蝕の問題が解消され、又地上に立ち上げ配管されたプラスチック管は外部環境から保護遮断されるので紫外線劣化等の問題もない。従って絶縁継手を設けたり金属管を樹脂被覆するなどの防食処理を行なう必要がなく、可撓性を有す金属製蛇腹管とも相挨って容易にガスメータとの配管施行が行なえる。
また継手内面に金属製蛇腹管が蛇腹管の波山形状を保って接続されるので、金属製蛇腹管の可撓性能が損なわれず、更にプラスチック管との接続は管の径や肉厚に応じて確実な接続固定が行なえる。
【図面の簡単な説明】
【図１】  本発明の一実施例のガスメータ接続用ライザー管を配管した状態を示す斜視図である。
【図２】  本発明の一実施例のガスメータ接続用ライザー管を示す半断面図である。
【符号の説明】
５  埋設プラスチック管              ７  ガスメータ接続ユニット
８  ガスメータ                      ９  金属製フレキシブル管
１０  ガスメータ接続用ライザー管    ２０  継手
２１  継手のシール内面              ２２  継手の係止内面
２４  継手の環状凹凸溝              ２５  シールパッキン
２６  継手のシール部                ２７  継手のめねじ
２８  水密パッキン                  ３０  プラスチック管
３１  金属製ステイフナー            ４０  金属製蛇腹管
４１  蛇腹管の樹脂皮膜              ４２  Ｏリング
４４  熱膨張黒鉛入りゴム            ４５  リテーナ
５０  保護管                        ５１  袋ナット
５２、５３  パッキン
【図１】
0003651815.tif 000002
【図２】
0003651815.tif 000003